(57)【特許請求の範囲】
【請求項１】
操作部と、挿入部と、一対のジョーを有する先端作用部とからなる内視鏡用鉗子において、
前記操作部は、前記挿入部を保持する固定ハンドルと、前記固定ハンドルに旋回可能に取り付けた可動ハンドルとからなり、前記固定ハンドルと前記可動ハンドルとの双方の端部に、それぞれアーチ状に相手側に延びるラチェットを設け、前記可動ハンドルの旋回支点を移動させることにより、前記ラチェットが有効な状態と無効な状態とを切り替えることを特徴とする内視鏡用鉗子。
【発明の詳細な説明】
【０００１】
【発明の属する技術分野】
この発明は、内視鏡を使用して体腔内を観察しながら処置を行う内視鏡用鉗子に関する。
【０００２】
【従来の技術】
内視鏡の鉗子チャンネルを介して体腔内に挿入し、生体組織等を把持して細胞等を採取したり、患部等を処置する内視鏡用鉗子は、操作部と、挿入部と、この挿入部の先端に設けられた一対のジョーを有する先端作用部とから構成されている。
【０００３】
前記内視鏡用鉗子の操作部には固定ハンドルと可動ハンドルを有しており、可動ハンドルに鋸歯状の歯を有するラチェットを設け、このラチェットを固定ハンドルに形成したスリット状の開口部に通し、この開口部の上縁を鋭角の爪状とした係止爪を形成し、この係止爪にラチェットの歯を係止することができるようになっている。
【０００４】
したがって、固定ハンドルの係止爪に可動ハンドルに設けたラチェットの歯を係止してラチェットを有効状態とし、また、前記開口部の側方を切り欠いて開口部を設け、前記ラチェットを側方に弾性変形させて前記開口部を通過させ、ラチェットを固定ハンドルの側方に位置させることにより、ラチェットの歯は前記係止爪と係合することができなくなりラチェットの機能は停止してラチェット無効状態となる。
【０００５】
また、EP 0,555,103  は、ラチェットは操作部の可動ハンドルの下端に固定され、ラチェットの鋸歯状の歯に係合する係止爪を板ばねで形成し、係止爪は固定ハンドルの下端に固定されている。
【０００６】
そして、前記板ばねをレバーで側方（下方）から押して弾性変形させることにより、板ばねの端部の係止部が移動し、ラチェットに係合できる状態、つまりラチェット有効状態とし、前記レバーで押す力を解放すると、係止爪が弾性力で下方に移動し、板ばねの端部の係止部がラチェットに係合できなくなって、ラチェット無効状態となる。
【０００７】
【発明が解決しようとする課題】
しかしながら、従来の内視鏡用鉗子の前者のものは、有効状態、無効状態の間の移行の操作を行い難い。ラチェットとハンドルとが接触し、摩擦により操作抵抗になる。ハンドルの強度が低下するなどの問題がある。
【０００８】
後者のものは、鉗子を操作している側の手で操作することができない。つまり、片手操作ができないため操作性が悪い。また、係止爪がばねそのものなので弾力性と強度とが両立し得ない。このため強度が不十分になり易いという問題がある。
【０００９】
この発明は、前記事情に着目してなされたもので、その目的とするところは、簡単な構成でありながら酷使に耐え、また操作性に優れた内視鏡用鉗子を提供することにある。
【００１０】
【課題を解決するための手段】
この発明は、前記目的を達成するために、操作部と、挿入部と、一対のジョーを有する先端作用部とからなる内視鏡用鉗子において、前記操作部は、前記挿入部を保持する固定ハンドルと、前記固定ハンドルに旋回可能に取り付けた可動ハンドルとからなり、前記固定ハンドルと前記可動ハンドルとの双方の端部に、それぞれアーチ状に相手側に延びるラチェットを設け、前記可動ハンドルの旋回支点を移動させることにより、前記ラチェットが有効な状態と無効な状態とを切り替えることを特徴とする。
【００１１】
可動ハンドルの旋回支点を移動することにより、可動ハンドルの旋回軸をラチェット側に位置させると、固定ハンドルと可動ハンドルの各ラチェットは相互に係合できる位置になり、ハンドル操作に伴い、可動ハンドルが動いている間はそれぞれのラチェットの弾力性により、それぞれの歯を乗り越えながら移動する。可動ハンドルが停止すると、その位置で相手の歯とその歯を乗り越えた歯の背面同士で係合して停止し、ハンドルの位置を固定する。
【００１２】
また、可動ハンドルの旋回支点を逆方向に移動することにより、可動ハンドルの旋回軸をラチェットの逆側に位置させ、可動ハンドルがラチェットの歯の高さ分相手のラチェットから外れる方向に移動する。
【００１３】
この結果、固定ハンドルと可動ハンドルのそれぞれのラチェットの歯同士は接触することが無くなる。これにより、可動ハンドルは何者にも妨げられることなく旋回させることが可能になる。
【００１４】
【発明の実施の形態】
以下、この発明の各実施の形態を図面に基づいて説明する。
図１〜図３は第１の実施形態を示し、図１は内視鏡用鉗子の全体構成図、図２はラチェット有効状態の操作部の断面図、図３はラチェット無効状態の操作部の断面図である。
【００１５】
図１に示すように、内視鏡用鉗子は、操作部１と、この操作部１に設けられた挿入部２およびこの挿入部２の先端に設けられた先端作用部３とから構成されている。先端作用部３は一対のジョー４と、これを保持する保持部５とからなり、生体組織等の対象部位を操作する把持部、鋏部、または剥離部を有している。
【００１６】
挿入部２は先端作用部３を先端部に保持する外筒６と、この外筒６の内部の操作力を伝達する操作ロッド７からなっている。また、操作部１は挿入部２の外筒６を保持する固定ハンドル８と、挿入部２の操作ロッド７に連結し、固定ハンドル８と回動自在に支持される可動ハンドル９とから構成されている。
【００１７】
前記操作部１について詳述すると、図２および図３に示すように、挿入部２の外筒６はその後端部が固定ハンドル８の先端部８ａに固定されている。固定ハンドル８の先端部８ａに続く部分には、可動ハンドル９を支持する旋回支点としての偏心軸１０を取り付ける取り付け部８ｂが形成されている。
【００１８】
取り付け部８ｂには可動ハンドル９が嵌入するスリット部８ｃと偏心軸１０が嵌合する軸孔８ｄ、８ｍが設けられている。固定ハンドル８の末端側には前記先端部８ａから延長するアーム部８ｅとアーム部８ｅの端部にリング状の指掛け部８ｆが形成されている。
【００１９】
前記偏心軸１０にはその側面に延長して偏心軸１０を回転させるレバー部１０ａが設けられている。さらに、偏心軸１０には小径部１０ｂ、大径部１０ｃ、偏心部１０ｄが形成され、小径部１０ｂは固定ハンドル８の軸孔８ｄに、大径部１０ｃは固定ハンドル８のもう一つの軸孔８ｍに嵌合している。取り付け部８ｂに取り付けた偏心軸１０には可動ハンドル９がその旋回軸となる軸孔９ａで偏心部１０ｄと嵌合して取り付けられている。
【００２０】
可動ハンドル９の末端側には前記軸孔９ａから延長するアーム部９ｂとアーム部９ｂの端部にリング状の指掛け部９ｃが形成されている。前記固定ハンドル８の先端部８ａの内部には前記操作ロッド７が延在する通路８ｇが形成されている。前記操作ロッド７は、前記通路８ｇから伸張してアーム部８ｅとアーム部９ｂとの間に位置している。
【００２１】
さらに、アーム部８ｅと指掛け部８ｆとの間には第１支軸１１を取り付ける軸孔８ｉが設けられている。可動ハンドル９のアーム部９ｂと指掛け部９ｃとの間には第２支軸１２を取り付ける軸孔９ｅが設けられている。
【００２２】
前記第１支軸１１には第１リンク１３の第１端部１３ａが回動自在に取り付けられ、前記第２支軸１２には第２リンク１４の第１端部１４ａが回動自在に取り付けられている。前記操作ロッド７の後端部７ａには第３支軸１５が設けられ、この第３支軸１５には第１リンク１３と第２リンク１４の各第２端部１３ｂ、１４ｂが共通に回動自在に取り付けられている。
【００２３】
前記固定ハンドル８の指掛け部８ｆには末端に延長部８ｊが設けられ、延長部８ｊの端部にはラチェット部８ｋが形成されている。同様に前記可動ハンドル９の指掛け部９ｃには末端に延長部９ｆが設けられ、延長部９ｆの端部にラチェット部９ｇが形成されている。そして、前記各延長部８ｊ、９ｆは略円周上に位置するよう形成されている。
【００２４】
次に、前述のように構成された内視鏡用鉗子の作用について説明する。
操作部１のハンドルを握り可動ハンドル９を操作することにより、挿入部２内で操作ロッド７が進退し、先端作用部３のジョー４を開閉して生体組織等の対象部位を把持、剥離または切断することができる。
【００２５】
図２は、ラチェット有効状態を示し、可動ハンドル９は偏心軸１０を支点として旋回し、固定ハンドル８との間で第１、２のリンク１３、１４を介して第３支軸１５を変位させ、操作ロッド７に進退動作を行わせる。偏心軸１０は、そのレバー部１０ａが図の位置において可動ハンドル９を末端側に変位させており、その結果、固定ハンドル８と可動ハンドル９のラチェット部８ｋ、９ｇが係合可能な状態となっている。
【００２６】
ラチェット部８ｋ、９ｇは各延長部８ｊ、９ｆがある長さを有していることにより弾力性を有し、各ラチェット部８ｋ、９ｇの歯の頂点同士が接触したときに弾性的に変位し相互に乗り越えることが可能となる。
【００２７】
図３はラチェット無効状態を示し、ラチェット部８ｋ、９ｇの係合を解除するときは、レバー部１０ａを時計回りに旋回させることにより、偏心軸１０の偏心部１０ｄが可動ハンドル８をラチェット部８ｋ、９ｇが離間する方向に変位させ、その結果、ラチェット部８ｋ、９ｇの係合が解除される。また、レバー部１０ａの位置をこの図の状態に保持することにより、ラチェット部８ｋ、９ｇは常時無効な状態となる。
【００２８】
前述した第１の実施形態によれば、構造が簡単で、強度に優れ、酷使に耐えられるという効果がある。
図４は、第２の実施形態を示し、操作部１は固定ハンドル１６と可動ハンドル１７とから構成されている。固定ハンドル１６と可動ハンドル１７とは共通の旋回軸１８に旋回可能に連結されている。挿入部２の外筒６はその後端部を固定ハンドル１６の先端部１６ａに固定されている。
【００２９】
固定ハンドル１６にはアーム部１６ｂと指掛け部１６ｃが設けられ、アーム部１６ｂの指掛け部１６ｃの近傍の部分にはスリット部１６ｄが形成されている。可動ハンドル１７の頂部１７ａは操作ロッド７と連結されている。可動ハンドル１７にはアーム部１７ｂと指掛け部１７ｃが設けられている。さらに、アーム部１７ｂにはスリット１７ｄが形成され、スリット１７ｄにはラチェット１９が第１支軸２０により旋回可能に取り付けられている。
【００３０】
さらに、スリット１７ｄには付勢ばね２１がラチェット１９に対しては第１取り付け部２１ａにおいて第２支軸２２で、可動ハンドル１７に対しては第２取り付け部２１ｂにおいて第３支軸２３で回転可能に取り付けられている。
【００３１】
付勢ばね２１はばね２１ｃの両端に第１取り付け部２１ａ、第２取り付け部２１ｂを直接取り付けた構造でも良い。また、付勢ばね２１は湾曲した板ばねでも良い。また、付勢ばね２１は第１取り付け部２１ａ、第２取り付け部２１ｂを、摺動して伸縮自在の軸（図示しない）でつなぎ、最も伸張した状態で、ばね２１ｃの自由長より短いものとしばね２１ｃに装備荷重（プリロード）を与えたものでも良い。
【００３２】
この場合、付勢ばね２１は全体として、伸びきった状態でも所定の長さ以上にはならない。第１支軸２０、第２支軸２２、第３支軸２３の位置関係は第１支軸２０〜第３支軸２３の間を三角形の最も長い一辺とし、第１支軸２０−第２支軸２２、第２支軸２２−第３支軸２３のそれぞれの間を前記の三角形の残りの２辺とした配置とする。
【００３３】
固定ハンドル１６に設けたスリット部１６ｄは半円形であり、アーム部１６ｂの先端側の面に開口し開口部１６ｅとなる。開口部１６ｅの上縁の鋭角部はラチェット１９に設けた複数の歯１９ａと係合する係合部１６ｆとなる。
【００３４】
ラチェット１９の端部は９０度捻ってさらに下向きに曲げ、術者が操作して押し下げる押し下げ部１９ｂを形成している。
次に、前述のように構成された内視鏡用鉗子の作用について説明する。
【００３５】
図４の実線は、ラチェット有効状態で、ラチェット１９は係合部１６ｆと係合し、第２支軸２２は後方に位置して付勢ばね２１の伸張力を時計回りの方向の回転力としてラチェット１９に伝える。この状態において、可動ハンドル１７を時計回りの方向に旋回させると、ラチェット１９は先端側に移動し、ラチェット１９の歯１９ａの先端側の斜面に係合部１６ｆが乗り上げることによりラチェット１９は押し下げられる。
【００３６】
さらに、可動ハンドル１７を旋回させると、歯１９ａは係合部１６ｆを乗り越えて次の歯に係合することになる。この時、前記旋回力により係合部１６ｆとの係合が維持される。この状態で、押し下げ部１９ｂを押し下げると、第２支軸２２は付勢ばね２１をさらに圧縮する方向に移動し、押し下げ部１９ｂを押し下げる力に抵抗する。
【００３７】
この抵抗力に抗して押し下げ部１９ｂを押し下げると、歯１９ａと係合部１６ｆの係合が解除され、可動ハンドル１７を反時計回りの方向に旋回させる（開く）ことができる。
【００３８】
図４の想像線は、ラチェット無効状態を示し、さらに押し下げ部１９ｂを押し下げると、第１支軸２０、第２支軸２２、第３支軸２３が一直線上に並ぶ位置で前記の抵抗する力は最大に達し、上記位置を過ぎると付勢ばね２１の伸張力はラチェット１９を反時計回りの方向に回転させる力となる。この状態において、歯１９ａと係合部１６ｆの係合は、解除されたままとなり、固定ハンドル１６、可動ハンドル１７の操作に一切関与しない。
【００３９】
前述した第２の実施形態によれば、構造が簡単で、操作が容易である。また、片手操作が可能である。さらに、ラチェットの有効無効状態の選択が、ラチェットの通常の解除動作をほんの少し大きくするだけで可能であるという効果がある。
【００４０】
図５および図６は第３の実施形態を示し、操作部１は固定ハンドル２４と可動ハンドル２５とから構成されている。固定ハンドル２４と可動ハンドル２５とは共通の旋回軸２６で旋回可能に連結されている。
【００４１】
挿入部２の外筒６はその後端部を固定ハンドル２４の先端部２４ａに固定され、固定ハンドル２４にはアーム部２４ｂと指掛け部２４ｃが設けられている。さらにアーム部２４ｂの指掛け部２４ｃの近傍の部分にスリット部２４ｄが形成されている。
【００４２】
可動ハンドル２５の頂部２５ａは操作ロッド７と連結され、可動ハンドル２５にはアーム部２５ｂと指掛け部２５ｃが設けられている。さらにアーム部２５ｂにはスリット部２５ｄが形成されている。スリット部２５ｄにはラチェット２７を支軸２８により旋回可能に取り付けられている。
【００４３】
さらに、ラチェット２７を付勢ばね２９により、時計回りの方向に付勢する。固定ハンドル２４に設けたスリット部２４ｄは半円形であり、アーム部２４ｂの先端側の面に開口し、開口部２４ｅとなっている。スリット部２４ｄにはラチェット２７に設けた複数の歯２７ａと係合する係合部材３０が設けられている。
【００４４】
ラチェット２７の端部は９０度捻ってさらに下向きに曲げ、術者が操作して押し下げる押し下げ部２７ｂを形成している。スリット部２５ｄには支軸２８を支軸として解除部材３１が旋回可能に取り付けられている。解除部材３１の延長部３１ａにはノッチ部３１ｂが形成され、さらに、解除部材３１にはレバー部３１ｃが設けられている。さらに、レバー部３１ｃには復座ばね３１´が設けられている。
【００４５】
次に、前述のように構成された内視鏡用鉗子の作用について説明する。
図５はラチェット有効状態を示し、解除部材３１が実線で示す位置の時、ラチェット２７は付勢ばね２９に当接して付勢力を与えられる。この結果、ラチェット２７は固定ハンドル２４、可動ハンドル２５を閉じる操作を拘束することなく、開く操作に歯２７ａが係合部材３０に係合して抵抗する。
【００４６】
図６はラチェット無効状態を示し、レバー部３１ｃを操作して解除部材３１のノッチ部３１ｂに付勢ばね２９の端部を係合させる。復座ばね３１´の付勢力により、付勢ばね２９が大きく変位した状態で固定される。この結果、ラチェット２７は付勢力を与えられず、また、付勢ばね２９に接触する位置まで自重で回転した場合も歯２７ａと係合部材３０とが離れているため、固定ハンドル２４、可動ハンドル２５の操作に無関係となる。また、押し下げ部２７ｂをさらに押し下げると、復座ばね３１´の付勢力により解除部材３１は回転して付勢ばね２９から外れて元に戻る。
【００４７】
前述した第３の実施形態によれば、構造が簡単で、操作が容易である。また、片手操作が可能である（操作部を把持している片手だけでラチェットの有効無効状態の選択が可能である。）という効果がある。
【００４８】
図７〜図１０は第４の実施形態を示し、固定ハンドル２４、可動ハンドル２５の構成は第３の実施形態と同様である。図７に示すように、スリット部２５ｄにはラチェット３２が偏心軸３３により旋回可能に取り付けられている。
【００４９】
さらに、ラチェット３２を付勢ばね２９により、時計回りの方向に付勢する。スリット部２４ｄにはラチェット３２に設けた複数の歯３２ａと係合する係合部材３０が設けられている。ラチェット３２の端部は９０度捻ってさらに下向きに曲げ、術者が操作して押し下げる押し下げ部３２ｂを形成している。
【００５０】
図８に示すように、偏心軸３３には小径部３３ａと大径部３３ｂと偏心部３３ｃとが形成され、小径部３３ａ、大径部３３ｂにより可動ハンドル２５に旋回可能に取り付けられている。さらに、偏心軸３３にはレバー部３３ｄが設けられ、これにより外部より操作（旋回）可能とする。ラチェット３２には軸孔３２ｃを形成し、偏心軸３３の偏心部３３ｃに旋回可能に取り付けられている。
【００５１】
図９に示すように、レバー部３３ｄは指掛け部２５ｃの近傍にあり、指掛け部２５ｃに通した指で操作可能な方向に向けて設置してある。
次に、前述のように構成された内視鏡用鉗子の作用について説明する。
【００５２】
図７はラチェット有効状態を示し、図７の実線で示す状態のラチェット３２は付勢ばね２９と当接しており、付勢力を与えられている。図７のＢ−Ｂで示す方向の断面では、図７で示すように偏心部３３ｃは付勢ばね２９に接近している。
【００５３】
この状態では、ラチェット３２は係合部材３０と係合する方向に付勢され、固定ハンドル２４、可動ハンドル２５を閉じる方向の操作により、歯３２ａが係合部材３０の係合部３０ａを乗り越えながら全体として先端側に向かって変位する。固定ハンドル２４、可動ハンドル２５を開く方向の操作に対しては歯部３２ａが係合部３０ａと係合することにより抵抗する。
【００５４】
図１０はラチェット無効状態を示し、図９に示す矢印の方向にレバー部３３ｄを操作して偏心軸３３を１８０度回転させることにより、図８中の偏心部３３ｃは基端側に変位し、図１０に示す位置にラチェット３２が移動する。
【００５５】
この結果、ラチェット３２は付勢ばね２９に当接しなくなり、歯部３２ａが係合部材３０に係合しようとする付勢力は失われる。この状態では固定ハンドル２４、可動ハンドル２５は拘束されることなく開閉両方向に移動させることができる。
【００５６】
前述した第４の実施形態によれば、構造が簡単で、操作が簡単である。また、片手操作が可能である。さらに、可動ハンドル２５を操作している指を外すことなく、そのままラチェット３２の有効無効状態の選択が可能であるという効果がある。
【００５７】
図１１および図１２は第５の実施形態を示し、固定ハンドル２４、可動ハンドル２５の構成は第３の実施形態と同様である。図１１に示すように、スリット部２５ｄにはラチェット３４を支軸２８により旋回可能に取り付けられている。さらに、ラチェット３４を付勢ばね２９により、時計回りの方向に付勢する。
【００５８】
スリット部２４ｄにはラチェット３４に設けた複数の歯３４ａと係合する係合部材３０が設けられている。ラチェット３４の端部は９０度捻ってさらに下向きに曲げ、術者が操作して押し下げる押し下げ部３４ｂを形成している。
【００５９】
ラチェット３４には付勢ばね２９に向かって延びる延長部３４ｃを設けられ、さらに延長部３４ｃには当接面３４ｄと背面３４ｅが設けられている。スリット部２５ｄにはレバー３５が設けられ、レバー３５にはラチェット３４の延長部３４ｃの背面３４ｅとの係合部３５ａ，３５ｂが形成されている。係合部３５ａ，３５ｂは前記背面３４ｅに適合した形状をしている。
【００６０】
次に、前述のように構成された内視鏡用鉗子の作用について説明する。
図１１はラチェット有効状態を示し、ラチェット３４は付勢ばね２９によって付勢され係合部材３０に係合可能な状態である。図１１の状態で、係合部３５ａは背面３４ｅと向かい合うが隙間を持って離れていて、押し下げ部３４ｂの操作によるレバー３５の揺動を邪魔することはない。
【００６１】
図１２はラチェット無効状態を示し、レバー３５を時計回りの方向に回転させることにより係合部３５ｂを背面３４ｅに当接させる。係合部３５ｂは係合部３５ａよりも突出しているので付勢ばね２９に抗して延長部３４ｃを旋回させ係合部材３０から離れさせる。
【００６２】
延長部３４ｃは付勢ばね２９と係合部３５ｂに挟まれてガタ無く位置決めされ保持される。この状態では、ラチェット３４は係合部材３０と係合することはできず、固定ハンドル２４と可動ハンドル２５を自由に開閉することができる。
【００６３】
前述した第５の実施形態によれば、構造が簡単で、操作が簡単である。また、片手操作が可能であるという効果がある。
図１３および図１４は第６の実施形態を示し、固定ハンドル２４、可動ハンドル２５の構成は第３の実施形態と同様である。可動ハンドル２５のスリット部２５ｄにはラチェット３６が支軸２８により旋回可能に取り付けられている。固定ハンドル２４のスリット部２４ｄにはラチェット３６に設けた複数の歯３６ａと係合する係合部材３０が設けられている。
【００６４】
ラチェット３６の端部は９０度捻ってさらに下向きに曲げ、術者が操作して押し下げる押し下げ部３６ｂを形成している。ラチェット３６の支軸２８の近傍には延長部３６ｃが形成されている。延長部３６ｃの端部には鉤状の係止爪３６ｄが形成されている。係止爪３６ｄは可動ハンドル２５の係合部２５ｅに係合している。
【００６５】
次に、前述のように構成された内視鏡用鉗子の作用について説明する。
図１３の実線および図１４の想像線はラチェット有効状態を示し、係止爪３６ｄが係合部２５ｅに係合した状態では、可動ハンドル２５を先端側に変位させると、歯３６ａが延長部３６ｃにより弾性的に係合部材３０の係合部３０ａを乗り越える。可動ハンドル２５を基端側に変位させようとすると、歯３６ａが係合部３０ａに係合するため、乗り越えることができず停止させられる。
【００６６】
図１４の実線はラチェット無効状態を示し、係止爪３６ｄを押し下げて係合部２５ｅとの係合を解除すると、係止爪３６ｄはスリット部２５ｄに潜り込み、スリット部２５ｄの内面２５ｆに当接して係合部材３０から離れる方向にラチェット３６を付勢する。
【００６７】
この結果、ラチェット３６は可動ハンドル２５の操作に無関係となる。復帰させる場合には、延長部３６ｃを矢印の方向に押すことにより、係止爪３６ｄが内面２５ｆ上を滑り係合部２５ｅを乗り越えて係合する。
【００６８】
前述した第６の実施形態によれば、構造が簡単で、操作が簡単である。また、片手操作が可能であるという効果がある。
図１５は第７の実施形態を示し、構成要件は第６実施形態と同様であり、第６の実施形態の変形例である。固定ハンドル２４、可動ハンドル２５の構成は第３の実施形態と同様である。ラチェット３７を可動ハンドル２５に固定し、係合部材３８を固定ハンドル２４に支軸３９により旋回可能に取り付けたものである。
【００６９】
係合部材３８には爪状の係合部３８ａが形成され、先端側には幅広に形成した押し下げ部３８ｂが設けられている。基端側には湾曲延長部３８ｃが形成され、湾曲延長部３８ｃの端部は鉤状の係止爪３８ｄが形成されている。係止爪３８ｄは固定ハンドル２４の第１係合部２４ｆに係合され、スリット部２４ｄには第１係合部２４ｆに続く第２係合部２４ｇが形成されている。
【００７０】
次に、前述のように構成された内視鏡用鉗子の作用について説明する。
図１５はラチェット有効状態を示し、図１５の状態で、可動ハンドル２５を閉じる方向に操作すると、ラチェット３７は先端側に移動する。この時、歯３７ａが係合部３８ａを先端側に回転させつつ次々と乗り越えていく。可動ハンドル２５を開く方向に操作すると、歯３７ａは係合部３８ａを基端側に回転させようとするが、湾曲延長部３８ｃが抵抗するため回転できず停止させられる。
【００７１】
係止爪３８ｄを押し上げて第１係合部２４ｆから外し、第２係合部２４ｇに係合させると、係合部３８ａは先端側に回転し、歯３７ａと係合不能（無効状態）になる。この結果、ラチェット３７は可動ハンドル２５の操作に無関係となる。復帰操作させる場合には、湾曲延長部３８ｃを先端側に押すことにより、係止爪３８ｄが第２係合部２４ｇから外れて第１係合部２４ｆに係合し、元に戻る。
【００７２】
前述した第７の実施形態によれば、構造が簡単で、操作が簡単であるという効果がある。
図１６および図１７は第８の実施形態を示し、固定ハンドル２４、可動ハンドル２５の構成は第３の実施形態と同様である。スリット部２５ｄにはラチェット４０を支軸２８により旋回可能に取り付けられている。スリット部２４ｄにはラチェット４０に設けた複数の歯４０ａと係合する係合部材３０が設けられている。
【００７３】
ラチェット４０の端部は９０度捻ってさらに下向きに曲げ、術者が操作して押し下げる押し下げ部４０ｂが形成されている。ラチェット４０の支軸２８の近傍には側方への延長部４０ｃが形成され、延長部４０ｃには伝達部材４１を支軸４２により回動自在に取り付けられている。
【００７４】
伝達部材４１にはレバー状またはノブ状の操作部材（図示しない）が設けられている。伝達部材４１は付勢ばね２９と当接してラチェット４０を係合部材３０に当接する方向に付勢する。伝達部材４１の付勢ばね２９との当接部４１ａは支軸４２から所定距離離れて形成され、非当接部４１ｂは前記所定距離より接近させて形成されている。伝達部材４１の形状は略三角形であるが、偏心させた円形でも四角形でもそれ以外の形状でも上記の条件を満たせばこの限りではない。
【００７５】
次に、前述のように構成された内視鏡用鉗子の作用について説明する。
図１６の実線および図１７の想像線はラチェット有効状態を示し、当接部４１ａを付勢ばね２９に当接させると、歯４０ａと係合部３０ａとが係合している状態で付勢ばね２９を所定量変形させて十分な付勢力を得ることができる。
【００７６】
この状態で、可動ハンドル２５を閉じる操作により歯４０ａが係合部３０ａを乗り越えながらラチェット４０を移動させることができる。この時、可動ハンドル２５を開く操作は歯４０ａと係合部３０ａとが係合することにより阻止される。
【００７７】
押し下げ部４０ｂを押し下げると、付勢ばね２９をさらに変形させながら係合部材３０との係合が解除され、ラチェット無効状態となり、伝達部材４１を回転させて非当接部４１ｂを付勢ばね２９に対向させると、当接部４１ａと非当接部４１ｂとの支軸４２からの距離の差により歯４０ａは係合部３０ａから離れて係合しなくなる。
【００７８】
この時、当接部４１ａは腹面２５ｇと当接し、付勢ばね２９の付勢力により伝達部材４１は係合部材３０とラチェット４０との間隔を保ったまま固定される。この状態では可動ハンドル２５の開閉操作はラチェット４０から何らの制約も受けない。
【００７９】
前述した第８の実施形態によれば、構造が簡単で、操作が簡単であるという効果がある。
図１８および図１９は第９の実施形態を示し、固定ハンドル２４、可動ハンドル２５の構成は第３の実施形態と同様である。可動ハンドル２５のスリット部２５ｄにはラチェット４３を支軸２８により旋回可能に取り付けられている。固定ハンドル２４のスリット部２４ｄにはラチェット４３に設けた複数の歯４３ａと係合する係合部材３０が設けられている。
【００８０】
ラチェット４３の端部は９０度捻ってさらに下向きに曲げ、術者が操作して押し下げる押し下げ部４３ｂを形成している。ラチェット４３の支軸２８の近傍には、側方（上方）への延長部４３ｃが形成されている。
【００８１】
延長部４３ｃは付勢ばね２９と当接してラチェット４３を係合部材３０に当接する方向に付勢される。付勢ばね２９と可動ハンドル２５との間に解除部材４４が介在されている。解除部材４４の付勢ばね２９と可動ハンドル２５との間で変位する部分、当接部４４ａは付勢ばね２９、可動ハンドル２５、延長部４３ｃの３者に囲まれているので脱落することはない。
【００８２】
さらに、解除部材４４の側方両端には術者が操作するための円形の把持部４４ｂが設けられている。２つの把持部４４ｂにより付勢ばね２９、可動ハンドル２５を両側方から挟む形にしているので、側方から脱落することもない。
【００８３】
当接部４４ａの断面形状は円形以外の長辺と短辺を有する矩形或いは三角形或いは楕円形又はこれらと類似の形状とする。把持部４４ｂの形状は円形であるが、多角形、星形、その他の操作しやすい形状であればどんな形状でも良い。また、把持部４４ｂの外周には滑り止めのための刻み（ローレット）を形成してある。
【００８４】
次に、前述のように構成された内視鏡用鉗子の作用について説明する。
図１８の実線および図１９の想像線はラチェット有効状態を示し、当接部４４ａの短辺側が付勢ばね２９、可動ハンドル２５に対向している状態のとき、解除部材４４は付勢ばね２９の作動を全く阻害しないのでラチェット４３は本来の動作を行う。
【００８５】
図１９の実線はラチェット無効状態を示し、当接部４４ａの長辺側が付勢ばね２９、可動ハンドル２５に対向して当接している状態（想像線で示す状態）のとき、付勢ばね２９の付勢力が無効となるのでラチェット４３はその機能を失い、可動ハンドル２５の操作はフリーとなる。
【００８６】
前述した第９の実施形態によれば、構造が簡単で、操作が簡単であるという効果がある。
図２０〜図２３は第１０の実施形態を示し、固定ハンドル２４、可動ハンドル２５、ラチェット２６の構成は、第３の実施形態と同様である。固定ハンドル２４に設けた係合部材３０の両側に固定ハンドル２４ごと挟む形で、コの字形の弾性の阻止部材４５が設けられている。阻止部材４５は固定ハンドル２４の後面２４ｈに対向する背面４５ａと固定ハンドル２４の側面に対向する側面４５ｂとを有している。
【００８７】
背面４５ａには、ラチェット２６の歯２６ａの頂部に当接して摺動する摺動部４５ｃと、術者が操作するための操作部４５ｄと、係合部材３０を取り付ける２つのピン４６に係合する両側で４カ所の溝４５ｅと、上側の溝に設けた位置決めのための２カ所の凹部４５ｆと、阻止部材４５の背面側に設けた、阻止部材４５をピン４６と凹部４５ｆとが係合する方向に付勢する付勢部４５ｇとが形成されている。
【００８８】
次に、前述のように構成された内視鏡用鉗子の作用について説明する。
図２０および図２１はラチェット有効状態を示し、下側の凹部４５ｆとピン４６とを係合させ、摺動部４５ｃが歯２６ａと接触しない状態とする。ラチェット本来の機能を発揮させられる状態である。
【００８９】
図２３はラチェット無効状態を示し、上側の凹部４５ｆとピン４６とを係合させ、摺動部４５ｃが歯２６ａと接触した状態とする。ラチェット２６は下に押し下げられて、係合部材３０と係合できない。固定ハンドル２４および可動ハンドル２５の開閉操作に伴ってラチェット２６は摺動部４５ｃに接触しながら滑り、操作の邪魔になることはない。
【００９０】
以上述べた実施形態の全てにおいて、固定ハンドルと可動ハンドルとに取り付けるラチェットと係合部材との組み合わせを逆にした構成も可能である。また、ラチェットを固定とし、係合部材を可動とし、付勢手段を係合部材に取り付けた構成も可能である。
【００９１】
前述した第１０の実施形態によれば、構造が簡単で、操作が簡単であるという効果がある。
図２４〜図２６は開示例を示し、図２４は手術用鉗子のラチェット部が係合している状態の操作部を示し、図２５はラチェット部の係合が解除している状態を示し、図２６は図２５のＤ−Ｄ線に沿う断面図である。
【００９２】
手術用鉗子は、操作部５１と、生体内に挿入される挿入部５２及び処置部を有する先端作用部（図示しない）とから構成されている。
操作部５１には挿入部５２を回動自在に保持する操作部本体５３と一体的に形成された末端がリング状の固定ハンドル５４と、支点部材５５により固定ハンドル５４に回動自在に接続され、処置部の駆動軸５６と結合している末端がリング状の可動ハンドル５７が設けられている。
【００９３】
固定ハンドル５４には、ばね状部材からなるラチェット部材５８が回動自在に接続されている。ラチェット部材５８は回動中心付近に付勢ばね５９との当接部６０及び凸部６１を形成し、さらに可動ハンドル５７に向かう方向の先端側につめ部６２を形成する。つめ部６２の下方には楔状の歯部６３を有する係脱部材６４が設けられている。
【００９４】
ラチェット部材５８の下方には、ラチェット部材５８の凸部６１と当接する凸部６５を有するばね状部材からなるラチェットレバー６６が固定ハンドル５４に回動自在に接続されている。ラチェットレバー６６の可動ハンドル５７に向かう方向の先端側には楔状の歯部６７を有する係脱部材６８が設けられ、その反対側には指で操作するためのレバー部材６９が設けられている。
【００９５】
また、可動ハンドル５７には、ラチェットアーム７０が固定されており、ラチェットアーム７０には、ラチェット部材５８のつめ部６２と係合する複数の刻み７１が固定ハンドル５４に向けて形成されている。さらに、ラチェットアーム７０の両側にはラチェット部材５８が横方向に移動するのを規制する規制部材７２がラチェットアーム７０と一体的に設けられている。
【００９６】
次に、前述のように構成された手術用鉗子の作用について説明する。
図２４の状態で、可動ハンドル５７を時計方向に回動させると駆動軸５６が後端側に移動し、処置部が駆動する。このとき、ラチェット部材５８のつめ部６２は付勢ばね５９の付勢力に逆らってラチェットアーム７０の刻み７１上を滑りながら移動し、可動ハンドル５７が反時計方向に回動するのを規制する形で刻み７１と係合する。すなわち、図２４の状態では可動ハンドル５７は反時計方向に回動されることはない。
【００９７】
一方、図２４の状態でレバー部材６９を下方に押すと、ラチェットレバー６６が反時計方向に回動し、係脱部材６８が上方に移動する。また、ラチェット部材５８の凸部６１がラチェットレバー６６の凸部６５を介して、力を受けるため、ラチェット部材５８は付勢ばね５９の付勢力に逆らいながら時計方向に回動する。このとき、係脱部材６４は下方に移動し、図２５及び図２６に示すように、係脱部材６８の歯部６７と係脱部材６４の歯部６３が係合する。
【００９８】
その際は、歯部６７と歯部６３はラチェット部材５８とラチェットレバー６６のばね性により、お互いに押し付けられるようにして係合している。このとき、可動ハンドル５７は時計方向及び反時計方向に回動可能であり、ラチェット部７３の規制を受けることはない。また、ラチェットレバー６６は固定ハンドル５４の指掛け部７４と干渉しない位置に固定されている。
【００９９】
また、図２５の状態よりさらにレバー部材６９を下方に押すと係脱部材６８と係脱部材６４の係合は解除され、付勢ばね５９の付勢力により図２４の状態に戻る。なお、ラチェットレバー６６を図２４と図２５の中間の位置になるように操作することにより、ラチェット部７３の一時的な解除が可能となる。
【０１００】
この開示例によれば、ラチェット部７３が解除した状態でラチェット部材８を固定可能であり、その際ラチェットレバー１６は固定ハンドル４の指掛け部７４と干渉しない位置に固定されるため、ラチェット機構を有さない手術用鉗子と同様の操作性が得られる。
【０１０１】
前述した実施の形態によれば、次の構成が得られる。
（付記１）  操作部と、挿入部と、一対のジョーを有する先端作用部とからなる内視鏡用鉗子において、前記操作部は、前記挿入部を保持する固定ハンドルと、前記固定ハンドルに旋回可能に取り付けた可動ハンドルとからなり、前記固定ハンドルと前記可動ハンドルとの双方の端部に、それぞれアーチ状に相手側に延びるラチェットを設け、前記可動ハンドルの旋回支点を移動させることにより、前記ラチェットが有効な状態と無効な状態とを切り替えることを特徴とする内視鏡用鉗子。
【０１０２】
（付記２）  操作部と、挿入部と、一対のジョーを有する先端作用部とからなる内視鏡用鉗子において、前記操作部は、前記挿入部を保持する固定ハンドルと、前記固定ハンドルに旋回軸により旋回可能に取り付けた可動ハンドルとからなり、前記固定ハンドルと前記可動ハンドルとの双方の端部に、それぞれアーチ状に相手側に延びるラチェット部を設け、前記可動ハンドルの旋回軸を偏心軸とし、前記旋回軸を移動させることにより、前記ラチェット部同士の係合が可能な状態と不可能な状態とを切り替えることを特徴とする内視鏡用鉗子。
【０１０３】
（付記３）  操作部と、挿入部と、一対のジョーを有する先端作用部とからなる内視鏡用鉗子において、前記操作部は、前記挿入部を保持する固定ハンドルと、前記固定ハンドルに旋回軸により旋回可能に取り付けた可動ハンドルとからなり、前記固定ハンドルと前記可動ハンドルとの双方の端部に、それぞれアーチ状に相手側に延びるラチェットを設け、前記可動ハンドルの旋回軸を前記可動ハンドルに対して偏心して回転する偏心軸とし、前記偏心軸を回転させることにより、前記可動ハンドルの旋回軸を移動させて前記可動ハンドルを径方向に移動させ、前記ラチェットが有効な状態と無効な状態とを切り替えることを特徴とする内視鏡用鉗子。
【０１０４】
（付記４）  操作部と、挿入部と、一対のジョーを有する先端作用部とからなる内視鏡用鉗子において、前記操作部は、一つの旋回軸に取り付けられ相互に旋回可能な一対のハンドルよりなり、前記一対のハンドルに、相互に係合して一方向のみの移動を許容するラチェット機構を設け、前記ラチェット機構は、前記一対のハンドルの一つに旋回可能に設けたラチェット部材と前記一対のハンドルのもう一つに設け、前記ラチェット部材に係合する係合部材と前記ラチェット部材を前記係合部材と係合する方向に付勢する付勢手段とからなり、前記付勢手段の付勢力伝達機構が、係合方向への付勢と非係合方向への付勢との境界となる思案点を有し、前記思案点以外の位置において、係合方向への付勢と非係合方向への付勢との２つの状態のうちのいずれかを選択可能としたことを特徴とする内視鏡用鉗子。
【０１０５】
（付記５）  操作部と、挿入部と、一対のジョーを有する先端作用部とからなる、内視鏡用鉗子において、前記操作部は、一つの旋回軸に取り付けられ相互に旋回する一対のハンドルよりなり、前記一対のハンドルの一つに、支軸によって揺動可能に取り付けたラチェットと、前記ラチェットを付勢する付勢手段を設け、前記一対のハンドルのもう一つに前記ラチェットに係合する係合部材を設け、前記付勢手段は、前記ラチェットに付勢力を伝達する部位と前記ラチェットの支軸との位置関係により付勢力のベクトルが前記支軸の中心を通る思案点を有し、前記思案点以外の２つの位置関係を、前記ラチェットの有効状態と無効状態との２つの状態として選択可能としたことを特徴とする内視鏡用鉗子。
【０１０６】
（付記６）  操作部と、挿入部と、一対のジョーを有する先端作用部とからなる内視鏡用鉗子において、前記操作部は、一つの旋回軸に取り付けられ相互に旋回する一対のハンドルよりなり、前記一対のハンドルの一つのハンドルに、第１支軸によって揺動可能にラチェットを取り付け、前記一対のハンドルのもう一つのハンドルに、前記ラチェットと係合する係合部を設け、前記ラチェットと前記一対のハンドルの一つのハンドルとにそれぞれ第２、第３支軸によって旋回可能に付勢手段を取り付け、第１、第２、第３支軸が、第１、第３支軸間を長辺とする三角形を成すよう配置したことを特徴とする内視鏡用鉗子。
【０１０７】
（付記７）  操作部と、挿入部と、一対のジョーを有する先端作用部とからなる内視鏡用鉗子において、前記操作部は、一つの旋回軸に取り付けられ相互に旋回可能な一対のハンドルよりなり、前記一対のハンドルに、一方向のみの旋回を許容する制限機構を設け、前記制限機構は相互に係合する一対の係合部材からなり、前記一対の係合部材を係合方向に付勢する付勢手段を有し、前記付勢手段を前記制限機構を解除する方向に弾性変形させて、前記付勢手段に係合し保持する解除部材を設けたことを特徴とする内視鏡用鉗子。
【０１０８】
（付記８）  操作部と、挿入部と、一対のジョーを有する先端作用部とからなる内視鏡用鉗子において、前記操作部は、一つの旋回軸に取り付けられ相互に旋回可能な一対のハンドルよりなり、前記一対のハンドルに、相互に係合して一方向のみの移動を許容するラチェット機構を設け、前記ラチェット機構は、ラチェット部材と係合部材とからなり、前記ラチェット部材と前記係合部材とを相互に係合する方向に付勢する付勢部材を有し、前記付勢部材を付勢する方向と逆の方向に変位させて保持する解除部材を設けたことを特徴とする内視鏡用鉗子。
【０１０９】
（付記９）  操作部と、挿入部と、一対のジョーを有する先端作用部とからなる内視鏡用鉗子において、前記操作部は、一つの旋回軸に取り付けられ相互に旋回可能な一対のハンドルよりなり、前記一対のハンドルにそれぞれその末端に指掛け部を設け、前記一対のハンドルの一つに、旋回可能に支持されたラチェット部材を設け、前記一対のハンドルのもう一つに、前記ラチェット部材と係合する係合部材を設け、前記一対のハンドルの一つに、前記ラチェットを前記係合部と係合する方向に付勢する付勢部材を設け、前記一対のハンドルの一つに、旋回可能に支持され、旋回により前記付勢部材を付勢方向と逆の方向に変形させて係合し、前記付勢部材を保持する解除部材を設け、前記解除部材に旋回運動の半径方向に延出する操作部を形成し、前記解除部材を取り付けたハンドルの前記指掛け部の前記旋回軸に面した側に配置したことを特徴とする内視鏡用鉗子。
【０１１０】
（付記１０）  操作部と、挿入部と、一対のジョーを有する先端作用部とからなる内視鏡用鉗子において、前記操作部は、一つの旋回軸に取り付けられ相互に旋回可能な一対のハンドルよりなり、前記一対のハンドルに、相互に係合して一方向のみの移動を許容するラチェット機構を設け、前記ラチェット機構は、前記一対のハンドルの一つに旋回可能に設けたラチェット部材と、前記一対のハンドルのもう一つに設けられ、前記ラチェット部材に係合する係合部材と、前記ラチェット部材を前記係合部材に係合する方向に付勢する付勢部材とからなり、前記ラチェット部材の旋回の軸を、前記一対のハンドルの一つに対して偏心して旋回する偏心軸とし、前記偏心軸を回転させることにより、前記ラチェット部材の旋回の軸を移動させて前記付勢部材との当接を解除し、前記ラチェット部材と前記係合部材との係合が不可能な状態とすることを特徴とする内視鏡用鉗子。
【０１１１】
（付記１１）  操作部と、挿入部と、一対のジョーを有する先端作用部とからなる、内視鏡用鉗子において、前記操作部は、一つの旋回軸に取り付けられ相互に旋回可能な一対のハンドルよりなり、前記一対のハンドルに、相互に係合して一方向のみの移動を許容するラチェット機構を設け、前記ラチェット機構は、前記一対のハンドルの一つに旋回可能に設けたラチェット部材と、前記一対のハンドルのもう一つに設けられ、前記ラチェット部材に係合する係合部材と、前記ラチェット部材を前記係合部材に係合する方向に付勢する付勢部材とからなり、前記ラチェット部材の旋回の軸を、前記一対のハンドルの一つに対して偏心して旋回する偏心軸とし、前記偏心軸を前記一対のハンドルの一つの端部の指掛け部の近傍に設け、前記偏心軸を回転させることにより、前記ラチェット部材の旋回の支点が移動して前記付勢部材との当接が解除され、前記ラチェット部材と前記係合部材との係合が不可能な状態となることを特徴とする内視鏡用鉗子。
【０１１２】
（付記１２）  操作部と、挿入部と、一対のジョーを有する先端作用部とからなる内視鏡用鉗子において、前記操作部は、一つの旋回軸に取り付けられ相互に旋回可能な一対のハンドルよりなり、前記一対のハンドルに、相互に係合して一方向のみの移動を許容するラチェット機構を設け、前記ラチェット機構は、前記一対のハンドルの一つに旋回可能に設けたラチェット部材と、前記一対のハンドルのもう一つに設けられ、前記ラチェット部材に係合する係合部材と、前記一対のハンドルのもう一つに設けられ、前記ラチェット部材を前記係合部材と係合する方向に付勢する付勢部材とからなり、前記ラチェット部材の旋回の軸を、前記一対のハンドルの一つに対して偏心して旋回する偏心軸とし、前記偏心軸を前記一対のハンドルの一つの端部の指掛け部の近傍に設け、前記偏心軸の端部に操作（旋回）用の操作部材を設け、前記操作部材を操作することにより、前記偏心軸が回転し前記ラチェット部材の軸が移動し、前記付勢手段との当接が解除され、前記ラチェット部材と前記係合部材との係合が不可能な状態となることを特徴とする内視鏡用鉗子。
【０１１３】
（付記１３）  操作部と、挿入部と、一対のジョーを有する先端作用部とからなる内視鏡用鉗子において、前記操作部は、一つの旋回軸に取り付けられ相互に旋回可能な一対のハンドルよりなり、前記一対のハンドルに、相互に係合して一方向のみの移動を許容するラチェット機構を設け、前記ラチェット機構は、前記一対のハンドルの一つに旋回可能に取り付けたラチェット部材と、前記一対のハンドルのもう一つに設けられ、前記ラチェット部材に係合する係合部材と、前記ラチェット部材を前記係合部材に係合する方向に付勢する付勢部材とからなり、前記ラチェット部材を前記係合部材から離間する方向に変位させて保持する保持部材を設けたことを特徴とする内視鏡用鉗子。
【０１１４】
（付記１４）  操作部と、挿入部と、一対のジョーを有する先端作用部とからなる内視鏡用鉗子において、前記操作部は、一つの旋回軸に取り付けられ相互に旋回可能な第１ハンドルと第２ハンドルとからなり、前記第１、第２のハンドルに、相互に係合して一方向のみの移動を許容するラチェット機構を設け、前記ラチェット機構は、前記第１ハンドルに旋回可能に設けたラチェット部材と、前記第２ハンドルに設けた前記ラチェット部材に係合する係合部材と、前記第１ハンドルに設けた前記ラチェット部材を前記係合部材に係合する付勢部材とからなり、前記第１ハンドルに、前記ラチェット部材又は前記付勢部材に当接し、旋回して当接部が移動する解除部材を旋回可能に取り付け、前記当接部が平坦部または凹部で、上記当接部を移動させることにより、前記ラチェット部材を旋回させ、前記係合部材と係合した位置と前記係合部材と離間して係合を解除した位置との間を移動させることを特徴とする内視鏡用鉗子。
【０１１５】
（付記１５）  操作部と、挿入部と、一対のジョーを有する先端作用部とからなる内視鏡用鉗子において、前記操作部は、一つの旋回軸に取り付けられ相互に旋回可能な第１ハンドルと第２ハンドルとからなり、前記第１、第２のハンドルに、相互に係合して一方向のみの移動を許容するラチェット機構を設け、前記ラチェット機構は、前記第１ハンドルに旋回可能に設けたラチェット部材と、前記第２ハンドルに設けた、前記ラチェット部材に係合する係合部材と、前記第１ハンドルに設けた、前記ラチェット部材を前記係合部材と係合する方向に付勢する付勢部材とからなり、前記ラチェット部材の旋回の軸の近傍に旋回運動の半径の方向に延出する延長部を形成し、前記延長部の前記付勢部材との当接部に対向する側に、前記第１ハンドルに対して旋回可能に解除部材を取り付け、前記解除部材はその旋回軸近傍に前記ラチェット部材の延長部に対する係合部と逃げ部とを有し、それ自身の旋回運動の半径方向に延出する操作部を有し、前記解除部材の前記操作部を前記第１ハンドルの前記旋回軸の反対側に配置し、前記延長部と前記係合部とが係合した状態と、前記延長部が前記係合部と対向した状態とを切り替えることを可能としたことを特徴とする内視鏡用鉗子。
【０１１６】
（付記１６）  操作部と、挿入部と、一対のジョーを有する先端作用部とからなる内視鏡用鉗子において、前記操作部は、一つの旋回軸に取り付けられ相互に旋回可能な一対のハンドルよりなり、前記一対のハンドルに、相互に係合し、単一方向の変位のみを許容する二つの係合要素からなる係止機構を設け、前記係止機構が、前記二つの係合要素のうちの一つを、前記一対のハンドルのいずれかに固定し、前記二つの係合要素のうちのもう一つを、前記一対のハンドルのもう一つに揺動可能に取り付け、前記揺動可能な係合要素をもう一つの係合要素に対して付勢する付勢手段を、前記揺動可能な係合要素に一体に形成し、前記付勢手段の付勢力の作用端に、弾性変形によって作用対象から係合を解除することが可能な係合部を形成したことを特徴とする内視鏡用鉗子。
【０１１７】
（付記１７）  操作部と、挿入部と、一対のジョーを有する先端作用部とからなる内視鏡用鉗子において、前記操作部は、一つの旋回軸に取り付けられ相互に旋回可能な一対のハンドルよりなり、前記一対のハンドルに、相互に係合し、単一方向の変位のみを許容する二つの係合要素からなる係止機構を設け、前記係止機構が、前記二つの係合要素のうちの一つを、前記一対のハンドルのいずれかに固定し、前記二つの係合要素のうちのもうーつを、前記一対のハンドルのもう一つに揺動可能に取り付け、前記揺動可能な係合要素をもう一つの係合要素に対して付勢する付勢手段を、前記揺動可能な係合要素に一体的に形成し、前記付勢手段の付勢力の作用端に、前記の付勢する方向に変位、係合及び解除可能な係止機構を設けたことを特徴とする内視鏡用鉗子。
【０１１８】
（付記１８）  操作部と、挿入部と、一対のジョーを有する先端作用部とからなる内視鏡用鉗子において、前記操作部は、一つの旋回軸に取り付けられ相互に旋回可能な一対のハンドルよりなり、前記一対のハンドルに、相互に係合して一方向のみの移動を許容するラチェット機構を設け、前記ラチェット機構は、前記一対のハンドルの一つに旋回可能に設けたラチェット部材と、前記一対のハンドルのもう一つに設けられ、前記ラチェット部材に係合する係合部材と、前記ラチェット部材を前記係合部材に係合する方向に付勢する付勢部材とからなり、前記ラチェットの旋回中心側の端部に、側方に延出する弾性付勢部分を形成し、前記弾性付勢部分の端部に、前記ラチェット部材を取り付けたハンドルと係合する係合機構を形成し、前記係合機構が、前記ラチェット部材の解除方向の動作に抗して付勢力を発揮し、外力によって係合を解除することが可能で、解除後は逆方向の動作によって自動的に係合することを特徴とする内視鏡用鉗子。
【０１１９】
（付記１９）  操作部と、挿入部と、一対のジョーを有する先端作用部とからなる内視鏡用鉗子において、前記操作部は、一つの旋回軸に取り付けられ相互に旋回可能な一対のハンドルよりなり、前記一対のハンドルに、相互に係合して一方向のみの移動を許容するラチェット機構を設け、前記ラチェット機構は、前記一対のハンドルの一つに旋回可能に設けたラチェット部材と、前記一対のハンドルのもう一つに設けられ、前記ラチェット部材に係合する係合部材と、前記ラチェット部材を前記係合部材に係合する方向に付勢する付勢部材とからなり、前記ラチェット部材の前記付勢部材と当接する当接部に前記当接部に回動可能に取り付けられ、偏心して回動する伝達部材を設け、前記伝達部材を回動させることにより、前記付勢部材の付勢力を増減させ、前記ラチェット部材を、前記係合部材と係合可能な状態と係合不可能な状態との間で変位させることを特徴とする内視鏡用鉗子。
【０１２０】
（付記２０）  操作部と、挿入部と、一対のジョーを有する先端作用部とからなる内視鏡用鉗子において、前記操作部は、一つの旋回軸に取り付けられ相互に旋回可能な一対のハンドルよりなり、前記一対のハンドルに、相互に係合して一方向のみの移動を許容するラチェット機構を設け、前記ラチェット機構は、前記一対のハンドルの一つに旋回可能に設けたラチェット部材と、前記一対のハンドルのもう一つに設けられ、前記ラチェット部材に係合する係合部材と、前記ラチェット部材を前記係合部材に係合する方向に付勢する付勢部材とからなり、前記ラチェット部材の前記付勢部材と当接する当接部に前記当接部に回動可能に取り付けられ、回転により前記当接部の当接面を越えて突出する伝達部材を設けたことを特徴とする内視鏡用鉗子。
【０１２１】
（付記２１）  操作部と、挿入部と、一対のジョーを有する先端作用部とからなる内視鏡用鉗子において、前記操作部は、一つの旋回軸に取り付けられ相互に旋回可能な一対のハンドルよりなり、前記一対のハンドルに、相互に係合して一方向のみの移動を許容するラチェット機構を設け、前記ラチェット機構は、前記一対のハンドルの一つに旋回可能に設けたラチェット部材と、前記一対のハンドルのもう一つに設けられ、前記ラチェット部材に係合する係合部材と、前記ラチェット部材を前記係合部材に係合する方向に付勢する付勢部材とからなり、前記ラチェット部材の前記付勢部材と当接する当接部に略三角形の伝達部材を回動可能に取り付け、前記伝達部材の三角形の一辺を前記付勢部材の前記ラチェット部材との当接面に当接させ、前記ラチェット部材を前記係合部材と当接する方向に付勢することを特徴とする内視鏡用鉗子。
【０１２２】
（付記２２）  操作部と、挿入部と、一対のジョーを有する先端作用部とからなる内視鏡用鉗子において、前記操作部は、一つの旋回軸に取り付けられ相互に旋回可能な一対のハンドルよりなり、前記一対のハンドルに、相互に係合して一方向のみの移動を許容するラチェット機構を設け、前記ラチェット機構は、前記一対のハンドルの一つに旋回可能に設けたラチェット部材と、前記一対のハンドルのもう一つに設けられ、前記ラチェット部材に係合する係合部材と、前記ラチェット部材を前記係合部材に係合する方向に付勢する付勢部材とからなり、前記付勢部材と前記一対のハンドルのうち前記付勢部材を取り付けたハンドルとの間に介在して前記ラチェット部材と前記付勢部材との当接を阻止し、付勢力を無効とする阻止手段を設けたことを特徴とする内視鏡用鉗子。
【０１２３】
（付記２３）  操作部と、挿入部と、一対のジョーを有する先端作用部とからなる内視鏡用鉗子において、前記操作部は、一つの旋回軸に取り付けられ相互に旋回可能な一対のハンドルよりなり、前記一対のハンドルに、相互に係合して一方向のみの移動を許容するラチェット機構を設け、前記ラチェット機構は、前記一対のハンドルの一つに旋回可能に設けたラチェット部材と、前記一対のハンドルのもう一つに設けられ、前記ラチェット部材に係合する係合部材と、前記ラチェット部材を前記係合部材に係合する方向に付勢する付勢部材とからなり、前記付勢部材と、前記一対のハンドルのうち前記付勢部材を取り付けたハンドルとの間に、回転して寸法の変化する円以外の断面形状を有する解除部材を設け、前記解除部材を回転させ、前記付勢部材を変位させて、前記ラチェット部材と前記係合部材との係合を解除することを特徴とする内視鏡用鉗子。
【０１２４】
（付記２４）  操作部と、挿入部と、一対のジョーを有する先端作用部とからなる内視鏡用鉗子において、前記操作部は、一つの旋回軸に取り付けられ相互に旋回可能な一対のハンドルよりなり、前記一対のハンドルに、相互に係合して一方向のみの移動を許容するラチェット機構を設け、前記ラチェット機構は、前記一対のハンドルの一つに旋回可能に設けたラチェット部材と、前記一対のハンドルのもう一つに設けられ、前記ラチェット部材に係合する係合部材と、前記ラチェット部材を前記係合部材に係合する方向に付勢する付勢部材とからなり、前記付勢部材と、前記一対のハンドルのうち前記付勢部材を取り付けたハンドルとの間に、矩形断面形状を有する解除部材を設け、前記解除部材に回転させるための把持部を設け、前記矩形断面の長辺の長さが、前記付勢部材を変位させて、前記ラチェット部材と前記係合部材との係合を解除させるのに十分な長さであることを特徴とする内視鏡用鉗子。
【０１２５】
（付記２５）  操作部と、挿入部と、一対のジョーを有する先端作用部とからなる内視鏡用鉗子において、前記操作部は、一つの旋回軸に取り付けられ相互に旋回可能な一対のハンドルよりなり、前記一対のハンドルに、相互に係合して一方向のみの移動を許容するラチェット機構を設け、前記ラチェット機構は、前記一対のハンドルの一つに旋回可能に設けたラチェット部材と、前記一対のハンドルのもう一つに設けられ、前記ラチェット部材に係合する係合部材と、前記ラチェット部材を前記係合部材に係合する方向に付勢する付勢部材とからなり、前記係合部材に、前記係合部材と前記ラチェット部材との間に介在して係合を阻止する阻止部材を前記係合部材と前記ラチェット部材との間に介在しない状態を選択可能にして設けたことを特徴とする内視鏡用鉗子。
【０１２６】
（付記２６）  操作部と、挿入部と、一対のジョーを有する先端作用部とからなる内視鏡用鉗子において、前記操作部は、一つの旋回軸に取り付けられ相互に旋回可能な一対のハンドルよりなり、前記一対のハンドルに、相互に係合して一方向のみの移動を許容するラチェット機構を設け、前記ラチェット機構は、前記一対のハンドルの一つに旋回可能に設けたラチェット部材と、前記一対のハンドルのもう一つに設けられ、前記ラチェット部材に係合する係合部材と、前記ラチェット部材を前記係合部材に係合する方向に付勢する付勢部材とからなり、前記係合部材の周囲に移動可能に解除部材を取り付け、前記解除部材に前記ラチェット部材に対向する端面を形成し、前記端面の大きさを、前記ラチェット部材に係合せずに滑るのに十分な大きさとし、前記解除部材を移動させて、前記係合部材より先に前記ラチェット部材に当接させ、前記解除部材が前記ラチェット部材に係合せず滑ることを特徴とする内視鏡用鉗子。
【０１２７】
【発明の効果】
以上説明したように、この発明によれば、内視鏡用鉗子の操作部を挿入部を保持する固定ハンドルと、この固定ハンドルに旋回可能に取り付けた可動ハンドルとから構成し、固定ハンドルと可動ハンドルとの双方の端部に、それぞれアーチ状に相手側に延びるラチェット部を設け、可動ハンドルの旋回支点を移動させることにより、ラチェット部が有効な状態と無効な状態とを切り替えることができるようにしたから、簡単な構成でありながら、酷使に耐え、また操作性を向上できるという効果がある。
【図面の簡単な説明】
【図１】この発明の第１の実施形態を示す内視鏡用鉗子の全体の側面図。
【図２】同実施形態の操作部を示し、（ａ）は縦断側面図、（ｂ）はＡ−Ａに沿う断面図。
【図３】同実施形態の操作部を示す縦断側面図。
【図４】この発明の第２の実施形態を示す内視鏡用鉗子の操作部の一部断面した側面図。
【図５】この発明の第３の実施形態を示し、ラチェット有効状態の操作部の一部断面した側面図。
【図６】同実施形態を示し、ラチェット無効状態の操作部の一部断面した側面図。
【図７】この発明の第４の実施形態を示し、ラチェット有効状態の操作部の一部断面した側面図。
【図８】図７のＢ−Ｂ線に沿う断面図。
【図９】同実施形態の指掛け部の側面図。
【図１０】同実施形態のラチェット無効状態の操作部の一部断面した側面図。
【図１１】この発明の第５の実施形態を示し、ラチェット有効状態の操作部の一部断面した側面図。
【図１２】同実施形態を示し、ラチェット無効状態の操作部の一部断面した側面図。
【図１３】この発明の第６の実施形態を示し、ラチェット有効状態の操作部の一部断面した側面図。
【図１４】同実施形態を示し、ラチェット無効状態の操作部の一部断面した側面図。
【図１５】この発明の第７の実施形態を示し、ラチェット有効状態の操作部の一部断面した側面図。
【図１６】この発明の第８の実施形態を示し、ラチェット有効状態の操作部の一部断面した側面図。
【図１７】同実施形態を示し、ラチェット無効状態の操作部の一部断面した側面図。
【図１８】この発明の第９の実施形態を示し、ラチェット有効状態の操作部の一部断面した側面図。
【図１９】同実施形態を示し、ラチェット無効状態の操作部の一部断面した側面図。
【図２０】この発明の第１０の実施形態を示し、ラチェット有効状態の操作部の一部断面した側面図。
【図２１】同実施形態を示し、ラチェット無効状態の操作部の一部断面した側面図。
【図２２】図２１のＣ−Ｃ線に沿う断面図。
【図２３】同実施形態を示し、ラチェット無効状態の操作部の一部断面した側面図。
【図２４】手術用鉗子の操作部を示す一部断面した側面図。
【図２５】同手術用鉗子のラチェット解放状態の一部断面した側面図。
【図２６】図２５のＤ−Ｄ線に沿う断面図。
【符号の説明】
１…操作部
２…挿入部
３…先端作用部
４…ジョー
８…固定ハンドル
９…可動ハンドル
８ｋ，９ｇ…ラチェット部
【図１】
0003709248.tif 000002
【図２】
0003709248.tif 000003
【図３】
0003709248.tif 000004
【図４】
0003709248.tif 000005
【図５】
0003709248.tif 000006
【図６】
0003709248.tif 000007
【図７】
0003709248.tif 000008
【図８】
0003709248.tif 000009
【図９】
0003709248.tif 000010
【図１０】
0003709248.tif 000011
【図１１】
0003709248.tif 000012
【図１２】
0003709248.tif 000013
【図１３】
0003709248.tif 000014
【図１４】
0003709248.tif 000015
【図１５】
0003709248.tif 000016
【図１６】
0003709248.tif 000017
【図１７】
0003709248.tif 000018
【図１８】
0003709248.tif 000019
【図１９】
0003709248.tif 000020
【図２０】
0003709248.tif 000021
【図２１】
0003709248.tif 000022
【図２２】
0003709248.tif 000023
【図２３】
0003709248.tif 000024
【図２４】
0003709248.tif 000025
【図２５】
0003709248.tif 000026
【図２６】
0003709248.tif 000027